(57)【特許請求の範囲】
【請求項１】
内部に液体を収容しており、上面に抽出栓を持っている内袋と、内袋を収容する外装箱からなるバッグインボックスであって、内袋を収容する４側面からなる胴体部と、上面及び下面は折り畳み式となったそれぞれ４枚のフラップからなり、上面側のフラップは、最初と２番目に折り畳む２枚のフラップを第１フラップ及び第２フラップとし、３番目に折り畳むフラップを第３フラップ、４番目に折り畳むフラップを第４フラップとしており、底面のフラップを折り込んでフラップの面同士を接着した状態で前記内袋を収容し、その後に上面のフラップを折り込んでフラップの面同士を接着することで内袋を梱包するようにしているバッグインボックス用外装箱において、第１フラップ及び第２フラップ先端の突き合わせ部には、第４フラップとの接合面にあたる部分の一部を切り欠くことで開口部を形成するようにしておき、上面のフラップを接着する際には、まず第１フラップ及び第２フラップの第３フラップとの接着面に接着剤を塗って重ね合わせ、第１フラップ及び第２フラップと第３フラップの間を上下方向から押さえる接着治具を前記の開口部から差し込むことでフラップの接着を行い、その接着後に第１フラップ及び第２フラップと第４フラップとの間の接着を行うようにしているバッグインボックス用外装箱の組立方法。
【発明の詳細な説明】
【技術分野】
【０００１】
本発明は、バッグインボックス用外装箱に関するものであり、より詳しくはバッグインボックス用外装箱の上面蓋となるフラップ同士を接着する際、フラップ同士の接着性を向上し、さらに作業効率を向上させることのできるバッグインボックス用外装箱に関するものである。
【背景技術】
【０００２】
特開２００６−２３２３０５号公報に記載があるように、液状の薬品や調味液などを合成樹脂性の内袋に収容し、内袋を段ボール製などのバッグインボックス用外装箱内に収容することが広く行われている。バッグインボックス用外装箱に収容する内袋には、上部に抽出栓を設けておき、バッグインボックス用外装箱では前記内袋の抽出栓に対応する上面（蓋）の一部を切り欠くことができるようにしているものもある。このようにしておくと、外装箱内に内袋を収容したままで上面の一部を切り欠き、抽出栓を開くことで、内袋を取り出さずに内箱の内容物を取り出すことができる。内袋を外装箱の中に収容することで、内袋は柔軟なものであっても剛性のある外装箱で支えることができるため、積み重ねることも可能となって、保管や運搬時における作業性を向上させることができ、また内容物の取り出し時にも内袋の形状が崩れることはなく、取り出しにも都合がよいということで、バッグインボックス用外装箱は広く使用されている。
【０００３】
バッグインボックス用外装箱が段ボールである場合、Ａ式と呼ばれる一般的な段ボール箱が広く使用されている。みかん箱タイプとも言われるＡ式の段ボール箱は、他の形式に比べると簡単に製造でき、値段も安いという特徴がある。そして構造が単純であるために、内袋を収容しての組み立ても容易にできる。段ボール箱は、薄く折り畳んだ状態で段ボール箱の製造工場から送られてくるため、内袋の収容時に段ボール箱を組み立てる。段ボール箱の組み立ては、上面と底面にそれぞれ４枚あるフラップを折り曲げて重ね合わせて行う。組み立てでは、フラップの突き合わせ部をテープで留めることによって、フラップが開かないようにすることもよく行われているが、重ねたフラップの面同士を接着した方が美観上好ましいため、フラップの重ね合わせ面を接着剤で接着することで、箱の上面と底面を作ることも広く行われている。バッグインボックス用外装箱による収納時には、先に外装箱底面を作る。底面側でのフラップを折り曲げた際にフラップ同士が接触する面にボンドやホットメルトなどの接着剤を塗り、底面側のフラップを折り曲げて接着面を接着する。接着時にフラップ間が離れると接着できないため、接着時にはバッグインボックス用外装箱内に重しを置くなどして、フラップ間に隙間ができないようにする。
【０００４】
次に外装箱内に内袋を収容し、最後に上面側のフラップを折り曲げて上面側の接着を行う。上面側フラップの接着も、フラップ同士の接着面に接着剤を塗っておき、フラップを折り曲げた後にフラップを上下から押さえることで行う。しかしフラップの接着は、底面の場合は上から重しを乗せ置くことで容易に行えるが、上面の場合は上下から押さえるということができない場合がある。バッグインボックス用外装箱内に収容する収容物が堅いものであって、上面まで詰まっているものであれば、上方から押さえつけることで接着が行える。しかし、内袋が柔軟である場合や内袋と上面の間に空間がある場合には、上面のフラップを接着する際に、下側となるフラップが垂れ下がることでフラップの間に隙間ができ、十分な接着が行えないということがあった。
【先行技術文献】
【特許文献】
【０００５】
【特許文献１】特開２００２−２０５０６５号公報
【発明の概要】
【発明が解決しようとする課題】
【０００６】
本発明が解決しようとする課題は、バッグインボックス用外装箱の上面側でのフラップ接着時における接着性と作業性を向上させることのできるバッグインボックス用外装箱の組立方法を提供することにある。
【課題を解決するための手段】
【０００７】
請求項１に記載の発明は、内部に液体を収容しており、上面に抽出栓を持っている内袋と、内袋を収容する外装箱からなるバッグインボックスであって、内袋を収容する４側面からなる胴体部と、上面及び下面は折り畳み式となったそれぞれ４枚のフラップからなり、上面側のフラップは、最初と２番目に折り畳む２枚のフラップを第１フラップ及び第２フラップとし、３番目に折り畳むフラップを第３フラップ、４番目に折り畳むフラップを第４フラップとしており、底面のフラップを折り込んでフラップの面同士を接着した状態で前記内袋を収容し、その後に上面のフラップを折り込んでフラップの面同士を接着することで内袋を梱包するようにしているバッグインボックス用外装箱において、第１フラップ及び第２フラップ先端の突き合わせ部には、第４フラップとの接合面にあたる部分の一部を切り欠くことで開口部を形成するようにしておき、上面のフラップを接着する際には、まず第１フラップ及び第２フラップの第３フラップとの接着面に接着剤を塗って重ね合わせ、第１フラップ及び第２フラップと第３フラップの間を上下方向から押さえる接着治具を前記の開口部から差し込むことでフラップの接着を行い、その接着後に第１フラップ及び第２フラップと第４フラップとの間の接着を行う。
【発明の効果】
【０００９】
本発明を実施することで、バッグインボックス用外装箱の上面でのフラップを接着する場合に上下から押さえつけて接着することになるため、バッグインボックス用外装箱上面でのフラップの接着性を高めることができるようになり、押さえつけは接着治具で行うようにすることで作業性も向上させることができる。
【図面の簡単な説明】
【００１０】
【図１】第一実施例でのバッグインボックス用外装箱組み立て説明図１
【図２】第一実施例でのバッグインボックス用外装箱組み立て説明図２
【図３】第一実施例でのバッグインボックス用外装箱組み立て説明図３
【図４】第一実施例でのバッグインボックス用外装箱組み立て説明図４
【図５】バッグインボックス用外装箱組み立て済み状態図
【図６】第二実施例でのバッグインボックス用外装箱組み立て説明図６
【図７】第二実施例でのバッグインボックス用外装箱組み立て説明図７
【図８】第二実施例でのバッグインボックス用外装箱組み立て説明図８
【発明を実施するための形態】
【００１１】
本発明の一実施例を図面を用いて説明する。図では、本発明を実施しているバッグインボックス用外装箱５の組み立て工程を順に記載している。バッグインボックス用外装箱５は、展開した場合には略長方形の板に切り込みを入れた形状となるＡ式の段ボール箱であって、繋がった４側面からなる胴体部と、上面及び下面は折り畳み式となったそれぞれ４枚のフラップからなっている。断面四角形で上面と底面は４枚のフラップによって閉鎖するようにしているバッグインボックス用外装箱において、上面側で最初に折り込む２枚のフラップ、図では左右方向から折り込むフラップは、第１フラップ１及び第２フラップ２、次に折り込む図奥側のフラップは第３フラップ３、最後に折り込む図手前側のフラップは第４フラップ４と名付けておく。
【００１２】
第１フラップ１と第２フラップ２には、突き合わさる部分に切り込みを設けている。第１フラップ１及び第２フラップ２の切り込みは、第４フラップ４を接着する部分にのみ設けており、第３フラップ３と接着する部分には切り込みは開けていない。切り込みは、第１フラップ１及び第２フラップ２を折った場合に、突き合わせ部で開口部６ができるようにしており、開口部は３辺を直線とし、一辺は円弧形とした形状となっている。開口部６の円弧は第４フラップ４側の辺としており、開口部６の第３フラップ３側の辺は直線としている。
【００１３】
バッグインボックス用外装箱５内には、液体状の薬品などを合成樹脂製の内袋８に入れた状態で収容する。内袋８には上面に抽出栓９を設置しており、第１フラップ１及び第２フラップ２に開ける開口部６は、抽出栓９の真上に来るようにしている。バッグインボックス用外装箱５の第４フラップ４には、封をした場合に内袋８の抽出栓９の真上となる位置、つまり第１フラップ１と第２フラップ２に設けた開口部６と重なる位置に、第４フラップ４の一部を切り取って開口するためのミシン目１０を入れておく。
【００１４】
図１では、外装箱底面のフラップは接着済みであり、上面のフラップは開いている。底面でのフラップの接着は、フラップの重ね合わさる面に接着剤を塗っておき、バッグインボックス用外装箱５内に重しを置くなどで、底面のフラップを接着することができる。
【００１５】
この状態で液状の薬品などを入れた内袋８をバッグインボックス用外装箱５内に収容する。図２は次の工程であり、第１フラップ１及び第２フラップ２を左右から折り曲げている。第１フラップ１及び第２フラップ２を折り曲げたことで、第１フラップ１及び第２フラップ２の第４フラップ４との接着面であって、第１フラップ１及び第２フラップ２の突き合わせ部分に、両者の切り欠きによる開口部６が形成されている。その後、第１フラップ１及び第２フラップ２の上側表面であって第３フラップ３との接着部にホットメルトなどの接着剤を塗る。接着剤が熱可塑性プラスチックを熱で溶かすホットメルトであれば、プラスチックが溶けている状態ですぐに第３フラップ３を折り曲げ、第１フラップ１及び第２フラップ２と第３フラップ３を接着する。
【００１６】
この時、第１フラップ１及び第２フラップ２と第３フラップ３を十分に接着させるためには、上下から押さることが必要である。押さえるといっても、第１フラップ１及び第２フラップ２と第３フラップ３の接着面が開かない程度でよいのであるが、第１フラップ１及び第２フラップ２と内袋８の間に空間がある場合や、内袋８が柔軟である場合には、第１フラップ１及び第２フラップ２が垂れ下がり、第３フラップ３の間で隙間ができることがある。そのため接着治具７を用いて第１フラップ１及び第２フラップ２と第３フラップ３を接着させる。接着治具７は、第１フラップ１及び第２フラップ２と第３フラップ３の間が開くことを防止するものであればよく、例えば図３に記載しているような市販の目玉クリップなどであってもよい。
【００１７】
第１フラップ１及び第２フラップ２と第３フラップ３の接着を行うと、最後に第１フラップ１及び第２フラップ２と第４フラップ４の接着を行う。第４フラップ４の接着も、図４に記載しているように第１フラップ１及び第２フラップ２の接着面に接着剤を塗って第４フラップ４を折りこむことで行う。この場合には第１フラップ１及び第２フラップ２と第３フラップ３の間が接着されているため、第１フラップ１及び第２フラップ２が下方に垂れ下がることはなく、第４フラップ４を上から押さえるだけで第４フラップ４を接着することができる。
【００１８】
図５は梱包が完了した状態を示している。第４フラップ４にはミシン目１０を入れており、ミシン目１０に沿って第４フラップ４の一部を切り取ることができるようにしている。ミシン目１０の部分を切り取ると、バッグインボックス用外装箱５を開かなくても内袋８の抽出栓９が出てくるようにしている。バッグインボックス用外装箱上面の一部を開口することで、内袋８をバッグインボックス用外装箱５から取り出さずに内袋８内の液体を取り出すことができる。内容液を注ぐ場合や、吸い出す場合、内袋８は柔軟な材質であってもバッグインボックス用外装箱５が支えるため、内袋８が潰れるということがなく、注ぎやすいものとなる。
【００１９】
図６から図８は、第二実施例に関するものである。この実施例では第１フラップ１と第２フラップ２を閉じた場合に、その間が開いたものとなっている。この場合もバッグインボックス用外装箱５の組み立ては第一実施例と同じであるが、第１フラップ１と第２フラップ２の間に隙間が空いている点を考慮する必要がある。この場合に第一実施例での図４に記載のように、接着治具７を第１フラップ１と第２フラップ２の間の隙間部分に設置すると、第１フラップ１及び第２フラップ２を下側から押し上げることができず、接着の効果を得ることができない。
【００２０】
しかし、開口部６の形状は、第３フラップ３の先端辺に沿った直線を持つものとしているため、接着治具７を設置することのできる領域は広くなっており、そのため図８では、接着治具７は２個として開口部６の両端部に設置する。このように設置することで、第１フラップ１と第２フラップ２の間が開く場合であっても、第１フラップ１及び第２フラップ２と第３フラップ３との間で接着治具７によって押さえつけることができる。
【００２１】
流れ作業で複数のバッグインボックス用外装箱５を組み立てる場合、上記のように接着治具７で押さえるようにしておけば、接着剤が硬化するまで手で支持しておく必要はなく、市販の接着治具７を使用して流れ作業にて効率よく組み立てることができる。
【００２２】
なお、本発明は以上説明した実施例に限定されるものではなく、多くの変形が本発明の技術的思想内で当分野において通常の知識を有する者により可能である。
【符号の説明】
【００２３】
１  第１フラップ  
２  第２フラップ
３  第３フラップ
４  第４フラップ
５  バッグインボックス用外装箱
６  開口部
７  接着治具
８  内袋
９  抽出栓
１０  ミシン目
【図１】
0006606377.tif 000002
【図２】
0006606377.tif 000003
【図３】
0006606377.tif 000004
【図４】
0006606377.tif 000005
【図５】
0006606377.tif 000006
【図６】
0006606377.tif 000007
【図７】
0006606377.tif 000008
【図８】
0006606377.tif 000009